(57)【要約】【課題】ユーザーのタッチ操作状態を視覚によって把握容易とする効果付加装置を提供することを目的とする。【解決手段】制御部１００は、平面位置センサ１４０から、平面視マトリクス状に配置した複数のＬＥＤ６を備える発光手段の上側に配置したタッチパネル１４への操作者のタッチ位置を得る。そして、制御部１００が、２次元位置情報に対応する或るＬＥＤ６の周りの４個のＬＥＤ６を点灯状態とさせ、その点灯状態としたＬＥＤ６の照度を除々下げて行くことで、タッチ位置が容易に把握可能となる。【選択図】図１
2008009009.tif 000002
【特許請求の範囲】
【請求項１】
供給された音楽信号に対して効果付加を行う効果付加装置において、
平面視マトリクス状に配置した複数の発光部を備える発光手段と、
この発光手段の上側に配置したタッチパネルへの操作者のタッチ位置を２次元的に検出し対応する２次元位置情報を出力する位置情報検出手段と、
前記位置情報検出手段からの２次元位置情報に基づいてタッチ位置を視覚的に判別可能とするように、前記発光手段を駆動制御する制御手段と、を備えたことを特徴とする効果付加装置。
【請求項２】
請求項１に記載の装置において、
前記制御手段は、
前記２次元位置情報に対応する或る発光部の周りの発光部を点灯状態とさせるように、前記発光手段を駆動制御することを特徴とする効果付加装置。
【請求項３】
請求項１および２の内のいずれか一項に記載の装置において、
前記タッチパネルと前記発光手段との間にスモークガラスを設けたことを特徴とする効果付加装置。
【請求項４】
請求項１、２および３の内のいずれか一項に記載の装置において、
前記複数の発光部の夫々に対して、平面視四角形であり鉛直方向下側にいくに従って平面視四角形の面積が小さくなるように形成されたリフレクタを設けたことを特徴とする効果付加装置。
【請求項５】
請求項１、２、３および４の内のいずれか一項に記載の装置において、
前記制御手段は、更に、
当該装置が備える総ての操作子が所定時間使用されていないと判定した場合には、予め設定してある発光パターンで各発光部が点灯制御されるように、前記発光手段を駆動制御することを特徴とする効果付加装置。
【発明の詳細な説明】
【技術分野】
【０００１】
本発明は、楽音信号等の音楽信号に効果付加を行う効果付加装置に係わり、特に表示技術を利用してユーザーフレンドリーとした効果付加装置に関する。
【背景技術】
【０００２】
従来の効果付加装置には、平面位置センサを使用することにより２次元的なパラメータの調整を行うことを可能にするものがあった。即ち、平面位置センサを手で操作してｘ座標、ｙ座標を変化させると、予め設定されたプログラムが平面位置センサの操作に応じて変化することによって、ユーザーは簡単なタッチパネル操作で所望の効果付加を行うことができるという便利な装置であった（例えば、特許文献１参照）。
【０００３】
【特許文献１】特開２０００−２５０５３９号公報（第３−６頁、第４図）
【発明の開示】
【発明が解決しようとする課題】
【０００４】
確かに、従来の装置によれば簡単なタッチパネル操作を行うことで効果付加の種類や量を変化させることが可能となるが、ユーザーのタッチ位置等をタッチ感覚に合ったように通知することの配慮は行われていない。即ち、タッチ位置や各種の情報をユーザーに知らせることは積極的には行われていなかった。
【０００５】
そこで、本発明は、かかる従来の課題を解決するためになされたもので、ユーザーのタッチ操作状態を視覚によって把握容易にした効果付加装置を提供することを目的とする。
【課題を解決するための手段】
【０００６】
上記目的を達成するために、本発明は、供給された音楽信号に対して効果付加を行う効果付加装置において、
平面視マトリクス状に配置した複数の発光部を備える発光手段と、
この発光手段の上側に配置したタッチパネルへの操作者のタッチ位置を２次元的に検出し対応する２次元位置情報を出力する位置情報検出手段と、
前記位置情報検出手段からの２次元位置情報に基づいてタッチ位置を視覚的に判別可能とするように、前記発光手段を駆動制御する制御手段と、を備えたことを特徴とするようにした。
【０００７】
本発明によれば、制御手段は、発光手段の上側に配置したタッチパネルへの操作者のタッチ位置を２次元的に検出し対応する２次元位置情報を出力する位置情報検出手段からの２次元位置情報に基づいてタッチ位置を視覚的に判別可能とするように、発光手段を駆動制御するので、タッチ位置を視覚的に把握容易とすることが可能となる。
【０００８】
より具体的には、制御手段が、２次元位置情報に対応する或る発光部の周りの発光部を点灯状態とさせることで、タッチ位置が容易に把握可能となる。また、上記装置において、タッチパネルと発光手段との間にスモークガラスを設けたので、装置外側から内部の構成が見えることを阻止することが可能になる。更に、  上記装置において、複数の発光部の夫々に対して、平面視四角形であり鉛直方向下側にいくに従って平面視四角形の面積が小さくなるように形成されたリフレクタを設けた構成によって、より反射効率の良いリフレクタ構造とすることが可能になる。そして、記制御手段は、更に、当該装置が備える総ての操作子が所定時間使用されていないと判定した場合には、予め設定してある発光パターンで各発光部が点灯制御されるように、発光手段を駆動制御することで、装置不使用デモ画面表示を行うことが可能になる。
【発明の効果】
【０００９】
本発明によれば、ユーザーのタッチ操作状態を視覚によって把握容易とする効果付加装置を提供することが可能となるという効果が得られる。
【発明を実施するための最良の形態】
【００１０】
以下、本発明を実施するための最良の形態を図面を参照しつつ説明する。
【００１１】
図２は本発明の実施形態である効果付加装置１の斜視図、図３は図２におけるＡＡ矢視断面図、図４はＬＥＤ群とリフレクタ８の平面図である。本装置１は、その筐体２の平面下側と上側に多数の操作子２０、操作子３０を備えている。なお、図２中、平面視中央部にはＬＥＤマトリクス群とリフレクタを示しているが、実際にはスモークガラス１２等によって外部から内部構造が見えにくいようになっている。即ち、図２は構造理解の便宜上、内部構造を示している。
【００１２】
図２に示すように、基板４の上面には８個のＬＥＤ６が適宜の間隔で設けられている。なお、図２は断面図であるからＬＥＤ６は８個しか記載していないが、実際には図３に示すように横方向（ｘ方向）８個、縦方向（ｙ方向）８個、即ち、８行８列のマトリクス状にＬＥＤ６が設けられている。即ち、合計６４個のＬＥＤ６が設けられている。各ＬＥＤ６には、平面視四角形であり鉛直方向下側にいくに従って平面視四角形の面積が小さくなるように（すり鉢状に）形成されたリフレクタ８が設けられて、ＬＥＤ６からの光を効率良く上方に反射させるようにしている。なお、このリフレクタ８は一体となって形成され、ＬＥＤ６を上側から臨めるようにＬＥＤ群の上側に配置可能な構成となっている。
【００１３】
さらに、図３に示すように、リフレクタ８の上部には拡散シート１０を載置して、外部から直接ＬＥＤ６を見えないように、全体的にぼんやりと光を拡散するようにしている。また、この拡散シート１０の上部にはスモークガラス１２が載置され、その上にタッチパネル１４が載置されている。このスモークガラス１２によっても内部構造を外側から把握不能にしている。なお、図１、図２において図示はしないがタッチパネル１４に対してタッチ操作した場合にはその２次元的な座標を、抵抗値の変化や静電容量等によって検出する平面位置センサ１４０が設けられている。タッチパネル１４を含み２次元のタッチ位置情報を出力する平面位置センサ１４０自体の構成は公用の技術である。
【００１４】
次に、本装置１の信号処理系の構成を説明する、図１は本装置の信号処理系のブロック構成図である。楽音信号等の入力信号をアナログデジタル変換するＡ／Ｄ変換器１５０と、制御部１００からの信号をデジタルアナログ変換するＤ／Ａ変換器１５５と、この変換されたアナログ信号を拡声するためのスピーカー１６０とを有している。また、制御部１００は、図２に示した操作子２０、操作子３０を含む操作子群１１０からの操作信号を受信把握可能に構成されると共に、所要の情報の読出しおよび書き込みを行うための記憶部１２０を制御可能に構成されている。
【００１５】
また、タッチパネル１４に対するタッチ位置の２次元情報を検出しこれを制御部１００に送る平面位置センサ１４０を備える。マトリクス状ＬＥＤ群１３０は先に説明したように８行、８列、合計６４個のＬＥＤ６を備えていて、制御部１００は、各ＬＥＤ６を個別に点灯制御可能に構成されている。例えば、ＬＥＤ６への供給電流の量を調整して、照度を最小（消灯）から最大まで８段階で変更可能に構成されている。
【００１６】
図５は記憶部１２０に格納されているテーブル５００の説明図である。図４に示すように左上を原点としてＸ、Ｙ座標を設定する。この時、各ＬＥＤ６がどの範囲の位置情報に対応させるかを設定したのがこのテーブル５００である。例えば、２次元位置情報が「ａ≦Ｘ≦ｂ、ｃ≦Ｙ≦ｄ」である場合にはＬＥＤ番号「ＬＥＤ１」のＬＥＤ６がタッチ位置に対応するＬＥＤ６となる。このように、テーブル５００は、６４個の夫々のＬＥＤ６とタッチパネルへ１４の６４分割のタッチ位置とを対応付けたものである。
【００１７】
（動作）
以下、動作の一例について説明ずる。楽音信号等の入力信号が入力されて、Ａ／Ｄ変換器１５０によってデジタル変換されると、制御部１００によってこのデジタル信号に効果付加が施され、この効果付加信号がＤ／Ａ変換器１５５でアナログ変換されてスピーカー１６０から放音される。例えば、この効果付加量が、タッチ操作の２次元位置に応じて変化する場合を想定する。
【００１８】
今、タッチパネル上の或る位置をタッチすると、平面位置センサ１４０からの２次元位置情報（Ｘ、Ｙ）が制御部１００に送られる。制御部１００はこの２次元位置情報に応じた効果付加量で効果付加を施す。制御部１００は、これと同時に、図５のテーブル５００の記憶内容を参照して、２次元位置情報に対応するＬＥＤ番号のＬＥＤ６を把握する。そして、図６に示すようにこのＬＥＤ６（「Ｔ」参照）の周りの４個のＬＥＤ６を最大照度で点灯させる（ＯＮ）。つまりこの場合には、タッチ位置に対応するＬＥＤ６をＸ軸方向に囲む２個のＬＥＤ６と、Ｙ軸方向に囲む２個のＬＥＤ６を最大照度で点灯させる。なお、タッチ位置に対応するＬＥＤをＸ軸方向に囲む２個のＬＥＤは、タッチ位置に対応するＬＥＤ６に対するＹ座標範囲と同一のＹ座標範囲を有し、かつ、タッチ位置に対応するＬＥＤ６に対応するＸ座標範囲と最も近いＸ座標範囲を有する２つのＬＥＤであり、これは制御部１００がテーブル５００を参照することによって把握される。タッチ位置に対応するＬＥＤ６をＹ軸方向に囲む２個のＬＥＤ６も同じようにして把握される。
【００１９】
そして、制御部１００はこの最大照度を例えば８段階で除々に下げていく。このような各ＬＥＤ６に対する照度情報は記憶部１２０に記憶しておき、これを適宜更新することによって各ＬＥＤの明度制御が可能となる。そして、新たにタッチ操作が行われるとその２次元位置情報に対応するＬＥＤ６の周りの４個のＬＥＤを新たに最大照度で点灯させる。このような処理を継続していくと、最も新しいタッチ位置付近では明るく、これより古いタッチ位置付近では暗くなり、残像現象によって、タッチ位置を替えるにしたがって、光が尾を引くように見える。
【００２０】
つまり、制御部１００が、２次元位置情報に対応する或るＬＥＤ６の周りの４個のＬＥＤ６を点灯状態とさせ、その点灯状態とさせたＬＥＤ６の照度を除々に下げて行くことで、新たなタッチ位置が容易に把握可能となる。
【００２１】
（他の動作例）
本装置１に対して何らの操作を行わない場合（例えば、所定時間内において、いかなる操作子も操作されていないと判定した場合）には、制御部１００は、所定の発光制御パターンでマトリクス状ＬＥＤ群１３０の点灯制御を行うこともできる。即ち、待機状態にある場合には所定の発光パターンが見えるように制御するようにしても良く、いわばＰＣでのスクリーンセーバーと同じ機能を実現することができる。また、ＬＥＤ群の発光状態を制御して光による文字を表示することもできる。
【００２２】
なお、上記実施形態では６４個のＬＥＤ６を使用した場合の装置であるが、ＬＥＤの数はこれらには限られない。
【産業上の利用可能性】
【００２３】
以上説明してきたように、本発明によれば、より操作性の良い効果付加装置を提供することができる。
【図面の簡単な説明】
【００２４】
【図１】効果付加装置１の制御系の構成図である。
【図２】効果付加装置１の斜視図である。
【図３】図２におけるＡＡ矢視方向の断面図である
【図４】マトリクス状ＬＥＤ群およびリフレクタの平面図である。
【図５】テーブル５００の説明図である。
【図６】点灯制御の説明図である。
【符号の説明】
【００２５】
１  効果付加装置
２  筐体
４  基板
６  ＬＥＤ
８  リフレクタ
１０  拡散シート
１２  スモークガラス
１４  タッチパネル
１００  制御部  
１１０  操作子群
１２０  記憶部
１３０  マトリクス状ＬＥＤ群
１４０  平面位置センサ
１４５  タッチパネル
１５０  Ａ／Ｄ変換器
１５５  Ｄ／Ａ変換器
１６０  スピーカー  
【図１】
2008009009.tif 000003
【図２】
2008009009.tif 000004
【図３】
2008009009.tif 000005
【図４】
2008009009.tif 000006
【図５】
2008009009.tif 000007
【図６】
2008009009.tif 000008